(57)【要約】【課題】  複数の発光素子を位置精度よく連結して実装することが可能な発光素子とその実装構造を提供する。【解決手段】  発光素子Ｌは、パッケージ１と、このパッケージ１に設けられる発光部２と、パッケージ１に設けられ発光部２に通電をなす端子部３とを備え、パッケージ１の第１の側面１ａに設けられる第１位置決め部である凸部１ｇと、第１の側面１ａに対向する第２の側面１ｂに設けられる第２の位置決め部である凹部１ｈとを備えたものであり、発光素子Ｌの実装構造は、発光素子Ｌを少なくとも２つ以上設け、凸部１ｇと凹部１ｈとで位置を決めたものである。【選択図】  図１
2008311350.tif 000002
【特許請求の範囲】
【請求項１】
パッケージと、前記パッケージに設けられる発光部と、前記パッケージに設けられ前記発光部に通電をなす端子部とを備えた発光素子であって、前記パッケージの第１の側面に設けられる第１位置決め部と、前記第１の側面に対向する第２の側面に設けられる第２の位置決め部とを備えたことを特徴とする発光素子。
【請求項２】
前記第１の位置決め部が凸部であり、前記第２の位置決め部が凹部であることを特徴とする請求項１記載の発光素子。
【請求項３】
前記端子部を、前記第１、第２の側面よりも内側に設けたことを特徴とする請求項１記載の発光素子。
【請求項４】
前記パッケージは、第３の側面と、前記第３の側面に対向する第４の側面とを備え、前記両側面に外方に突出する固定部を設けたことを特徴とする請求項１記載の発光素子。
【請求項５】
前記固定部が前記端子部であることを特徴とする請求項３記載の発光素子。
【請求項６】
パッケージと、前記パッケージに設けられる発光部と、前記パッケージに設けられ前記発光部に通電をなす端子部とを備え、前記パッケージの第１の側面に設けられる第１位置決め部と、前記第１の側面に対向する第２の側面に設けられる第２の位置決め部とを備えた発光素子を少なくとも２つ以上設け、前記第１の位置決め部と前記第２の位置決め部とで位置を決めて連結したことを特徴とする発光素子の実装構造。
【請求項７】
前記第１の位置決め部が凸部であり、前記第２の位置決め部が凹部であることを特徴とする請求項６記載の発光素子の実装構造。
【請求項８】
前記端子部を、前記第１、第２の側面よりも内側に設けたことを特徴とする請求項６記載の発光素子の実装構造。
【発明の詳細な説明】
【技術分野】
【０００１】
本発明は、パッケージと、パッケージに設けられる発光部と、パッケージに設けられ発光部に通電をなす端子部とを備えた発光素子とその実装構造に関するものである。
【背景技術】
【０００２】
従来の発光素子は、特許文献１に開示されるものがある。この発光素子は、パッケージと、パッケージに設けられる発光部と、パッケージに設けられ発光部に通電をなす端子部とを備えたものである。チップタイプの発光素子は、点光源であるために、表示装置内や照明装置内部の構造において、複数個使用され、線照明、もしくは、面照明として使用される。例えば、複数個の発光素子を並列に配置することで、擬似的な線光源、もしくは面光源とすることができ、また、高輝度の光源として使用することができる。また、必要に応じて導光体や光学シートなどを用いることで、表示装置背後の均一な面照明として利用することができる。このように複数個の発光素子を実装する場合、各発光素子の位置は、定められた場所に精度良く実装されることが望ましい。
【特許文献１】特開２００５−２５２１６８号公報
【発明の開示】
【発明が解決しようとする課題】
【０００３】
しかしながら、従来の複数の発光素子を連結配置した場合、複数の発光素子を位置精度良く実装できないといった問題点があった。そこで本発明は、この問題に鑑みなされたものであり、複数の発光素子を位置精度よく連結して実装することが可能な発光素子とその実装構造を提供するものである。
【課題を解決するための手段】
【０００４】
本発明の発光素子は、パッケージと、前記パッケージに設けられる発光部と、前記パッケージに設けられ前記発光部に通電をなす端子部とを備えた発光素子であって、前記パッケージの第１の側面に設けられる第１位置決め部と、前記第１の側面に対向する第２の側面に設けられる第２の位置決め部とを備えたものである。
【０００５】
また、本発明の発光素子は、前記第１の位置決め部が凸部であり、前記第２の位置決め部が凹部である。
【０００６】
また、本発明の発光素子は、前記端子部は、前記第１、第２の側面よりも内側に設けたものである。
【０００７】
また、本発明の発光素子は、前記パッケージは、第３の側面と、前記第３の側面に対向する第４の側面とを備え、前記両側面に外方に突出する固定部を設けたものである。
【０００８】
また、本発明の発光素子は、前記固定部が前記端子部である。
【０００９】
また、本発明の発光素子の実装構造は、パッケージと、前記パッケージに設けられる発光部と、前記パッケージに設けられ前記発光部に通電をなす端子部とを備え、前記パッケージの第１の側面に設けられる第１位置決め部と、前記第１の側面に対向する第２の側面に設けられる第２の位置決め部とを備えた発光素子を少なくとも２つ以上設け、前記第１の位置決め部と前記第２の位置決め部とで位置を決めて連結したものである。
【００１０】
また、本発明の発光素子の実装構造は、前記第１の位置決め部が凸部であり、前記第２の位置決め部が凹部である。
【００１１】
また、本発明の発光素子の実装構造は、前記端子部を、前記第１、第２の側面よりも内側に設けたものである。
【発明の効果】
【００１２】
本発明によれば、所期の目的を達成でき、パッケージと、パッケージに設けられる発光部と、パッケージに設けられ、発光部に通電をなす端子部とを備えた発光素子とその実装構造に関し、複数の発光素子を位置精度よく連結して実装することが可能な発光素子とその実装構造を提供することができる。
【発明を実施するための最良の形態】
【００１３】
以下、図１〜図４に基づいて本発明の第１実施形態を説明する。本実施形態による発光素子Ｌは、パッケージ１と、発光部２と、端子部３とから構成されている。
【００１４】
パッケージ１は合成樹脂からなる六面体であり、第１の側面１ａ、第２の側面１ｂ、第３の側面１ｃおよび第４の側面１ｄの４つの側面を有している。第１、第２の側面１ａ、１ｂが対向し、第３、第４の側面１ｃ、１ｄが対向している。
【００１５】
また、パッケージ１の上面１ｅには、発光部２の光が出る出光部２ａが設けられている。この出光部２ａは発光部２を設けたパッケージ１の凹部内を光が透過する樹脂で満たしたものである。
【００１６】
また、パッケージ１は、プリント基板と向かい合う実装面１ｆを有し、前記プリント基板に安定して配置される。
【００１７】
パッケージ１の第１の側面１ａには、第１位置決め部である凸部１ｇが設けられている。この凸部１ｇは第１の側面１ａから突出している。また、パッケージ１の第２の側面１ｂには、第２位置決め部である凹部１ｈが設けられている。この凹部１ｈは第２の側面１ｂより凹んでいる。凸部１ｇと凹部１ｈとは互いに嵌合する形状であり、図４で示すように、発光素子Ｌを複数連結して実装する場合に、互いに位置精度よく連結して実装することが可能である。
【００１８】
発光部２は発光ダイオードチップであり、パッケージ１内にて端子部３と通電し、発光部２の光は上面１ｅから出射される。
【００１９】
端子部３は、パッケージ１の側面１ｃ、１ｄと実装面１ｆに設けられる。また、端子部３は、前記プリント基板に設けたランド部３ａに半田などにより固定され、電力を発光部２に供給する役割を持つ。
【００２０】
また、端子部３を、第１、第２の位置決め部１ｇ、１ｈを設けた第１、第２の側面よりもパッケージ１の内側に設けたものである。このように構成したことによって、少なくとも２つ以上の発光素子Ｌを連結して設けた場合に、一方の発光素子Ｌの第１の側面１ａと、他方の発光素子Ｌの第２の側面１ｂを接しても、各発光素子Ｌの端子部３が当接して短絡することを防止することができる。
【００２１】
以上の構成によって、複数の発光素子Ｌを位置精度よく連結して実装することが可能な発光素子Ｌとその実装構造を提供することができる。
【００２２】
次に、図５〜図８に基づいて本発明の第２実施形態を説明する。なお、前記実施形態と同一及び相当個所には同一符号を付してその詳細な説明を省略する。
【００２３】
本実施形態による発光素子Ｌ２が第１実施形態と異なる点は、第１実施形態が出光部２ａをパッケージ１の上面１ｅに設けたものであるのに対して、本実施形態では、第３の側面１ｃに出光部２ａを備えている。発光部２の光をパッケージ１の側面１ｃから出す構成である。
【００２４】
パッケージ１の第１の側面１ａには、第１位置決め部である凸部１ｇが設けられている。この凸部１ｇは第１の側面１ａから突出している。また、パッケージ１の第２の側面１ｂには、第２位置決め部である凹部１ｈが設けられている。この凹部１ｈは第２の側面１ｂより凹んでいる。凸部１ｇと凹部１ｈとは互いに嵌合する形状であり、図８で示すように、発光素子Ｌ２を複数連結して実装する場合に、互いに位置精度よく連結して実装することが可能である。
【００２５】
端子部３１は、パッケージ１の実装面１ｆにのみ設けられている。そして、端子部３１は第４の側面１ｄ側に延長形成してある。
【００２６】
本実施形態においても、第１実施形態と同様の作用効果を得ることができる。
【００２７】
なお、第２実施形態では、第４の側面１ｄ側にのみ延長形成した端子部３１を設けたものであるために、実装工程中で、第３の側面１ｃ側に転倒する虞があった。そこで、第２実施形態の変形例として、第３の側面１ｃと、第３の側面１ｃに対向する第４の側面１ｄとを備え、両側面１ｃ、１ｄに外方に突出する端子部３２を設けたものである。この端子部３２は固定部であり、発光素子Ｌ２の転倒を防止する転倒防止部として作用するものである。
【００２８】
なお、この固定部は端子部３２に限定されるものではなく、パッケージ１の一部を第３の側面１ｃあるいは第４の側面１ｄから突出形成したものであってもよい。
【図面の簡単な説明】
【００２９】
【図１】本発明の第１実施形態の斜視図。
【図２】同実施形態の上面図。
【図３】同実施形態の下面図。
【図４】同実施形態の斜視図。
【図５】本発明の第２実施形態の斜視図。
【図６】同実施形態の上面図。
【図７】同実施形態の下面図。
【図８】同実施形態の斜視図。
【図９】本発明の第２実施形態の変形例の上面図。
【図１０】同実施形態の変形例の下面図。
【符号の説明】
【００３０】
１    パッケージ
１ａ  第１の側面
１ｂ  第２の側面
１ｃ  第３の側面
１ｄ  第４の側面
１ｅ  上面
１ｆ  実装面
１ｇ  凸部（第１の位置決め部）
１ｈ  凹部（第２の位置決め部）
２  発光部
３、３１  端子部
３ａ  ランド部
３２  端子部（固定部）
Ｌ，Ｌ２  発光素子
【図１】
2008311350.tif 000003
【図２】
2008311350.tif 000004
【図３】
2008311350.tif 000005
【図４】
2008311350.tif 000006
【図５】
2008311350.tif 000007
【図６】
2008311350.tif 000008
【図７】
2008311350.tif 000009
【図８】
2008311350.tif 000010
【図９】
2008311350.tif 000011
【図１０】
2008311350.tif 000012